(57)【要約】【課題】走査線の走査信号の振幅電圧を小さくすることができるコモン反転駆動を用いた液晶表示装置を提供することを目的とする。【解決手段】ゲートが走査線に電気的に接続され、第１端子が信号線に電気的に接続され、第２端子が液晶素子の第１の電極に電気的に接続された第１のトランジスタと、ゲートが走査線に電気的に接続され、第１端子が共通電位線に電気的に接続され、第２端子が液晶素子の第２の電極に電気的に接続された第２のトランジスタと、を有し、第１の電極には、液晶素子を反転駆動するための映像信号が信号線より供給され、第２の電極には、映像信号の供給に同期して共通電位が共通電位線より供給される。【選択図】図１
2011257746.tif 000002
【特許請求の範囲】
【請求項１】
ゲートが走査線に電気的に接続され、第１端子が信号線に電気的に接続され、第２端子が液晶素子の第１の電極に電気的に接続された第１のトランジスタと、
ゲートが前記走査線に電気的に接続され、第１端子が共通電位線に電気的に接続され、第２端子が前記液晶素子の第２の電極に電気的に接続された第２のトランジスタと、を有し、
前記第１の電極には、前記液晶素子を反転駆動するための映像信号が前記信号線より供給され、
前記第２の電極には、前記映像信号の供給に同期して共通電位が前記共通電位線より供給されることを特徴とする液晶表示装置。
【請求項２】
請求項１において、前記第１の電極と、前記第２の電極とで容量素子が設けられることを特徴とする液晶表示装置。
【請求項３】
ゲートが走査線に電気的に接続され、第１端子が信号線に電気的に接続され、第２端子が液晶素子の第１の電極に電気的に接続された第１のトランジスタと、
ゲートが前記走査線に電気的に接続され、第１端子が共通電位線に電気的に接続され、第２端子が前記液晶素子の第２の電極に電気的に接続された第２のトランジスタと、を有し、
前記第１の電極には、前記液晶素子を反転駆動するための映像信号が前記信号線より供給され、前記第１の電極と容量線とで第１の容量素子が形成されており、
前記第２の電極には、前記映像信号の供給に同期して共通電位が前記共通電位線より供給され、前記第２の電極と前記容量線とで第２の容量素子が形成されていることを特徴とする液晶表示装置。
【請求項４】
ゲートが走査線に電気的に接続され、第１端子が信号線に電気的に接続され、第２端子が液晶素子の第１の電極に電気的に接続された第１のトランジスタと、
ゲートが前記走査線に電気的に接続され、第１端子が共通電位線に電気的に接続され、第２端子が前記液晶素子の第２の電極に電気的に接続された第２のトランジスタと、を有し、
前記第１の電極には、前記液晶素子を反転駆動するための映像信号が前記信号線より供給され、前記第１の電極と前記共通電位線とで第１の容量素子が形成されており、
前記第２の電極には、前記映像信号の供給に同期して共通電位が前記共通電位線より供給され、前記第２の電極と前記共通電位線とで第２の容量素子が形成されていることを特徴とする液晶表示装置。
【請求項５】
請求項１乃至請求項４のいずれか一において、前記反転駆動は、前記走査線毎に極性の異なる映像信号を前記液晶素子に印加することで行われることを特徴とする液晶表示装置。
【請求項６】
請求項１乃至請求項４のいずれか一において、前記反転駆動は、前記信号線毎に極性の異なる映像信号を前記液晶素子に印加することで行われることを特徴とする液晶表示装置。
【請求項７】
請求項１乃至請求項６のいずれか一に記載の液晶表示装置を具備する電子機器。
【発明の詳細な説明】
【技術分野】
【０００１】
本発明は、液晶表示装置に関する。または本発明は、液晶表示装置の駆動方法に関する。または、当該液晶表示装置を具備する電子機器に関する。
【背景技術】
【０００２】
液晶表示装置は、テレビ受像機などの大型表示装置から携帯電話などの小型表示装置に至るまで、普及が進んでいる。今後は、より付加価値の高い製品が求められており開発が進められている。近年では高画質化、高付加価値化を図るために、ブルー相の液晶相を有する液晶材料（以下、ブルー相液晶）が注目されている。ブルー相液晶は、電界に対する応答速度が従来の液晶材料に比較して非常に優れており、立体視（３Ｄ）映像等の高いフレーム周波数での駆動が必要な液晶表示装置での利用が期待されている。
【０００３】
特許文献１では、ブルー相液晶の駆動方式として、ＩＰＳ（Ｉｎ−Ｐｌａｎｅ  Ｓｗｉｔｃｈｉｎｇ）方式を開示している。特許文献１では特に、液晶素子を駆動する電圧を低減するための液晶材料を挟持する電極の構成について開示している。
【先行技術文献】
【特許文献】
【０００４】
【特許文献１】特開２００７−２７１８３９号公報
【発明の概要】
【発明が解決しようとする課題】
【０００５】
上記特許文献１に記載のブルー相液晶の駆動方式であるＩＰＳ（Ｉｎ−Ｐｌａｎｅ  Ｓｗｉｔｈｉｎｇ）方式では、駆動電圧が高くなるといった問題がある。駆動電圧が高く設定される原因について、以下図面を参照して説明する。
【０００６】
図１５（Ａ）は、液晶表示装置が有する画素の回路構成を示している。画素１５００は、トランジスタ１５０１と、液晶素子１５０２と、保持容量１５０３とを有する。信号線１５０４（データ線、ソースライン、またはデータ信号線ともいう）には、映像信号（ビデオ信号ともいう）が入力され、走査線１５０５（ゲート線、ゲートライン、またはゲート信号線ともいう）には、ゲート信号（走査信号、選択信号ともいう）が入力される。また共通電位線１５０６（コモン線ともいう）には共通電位（コモン電位ともいう）が入力され、容量線１５０７には固定電位が入力されている。なお説明のため、液晶素子１５０２のトランジスタ１５０１に接続される側の電極を第１の電極（画素電極ともいう）、共通電位線１５０６に接続される側の電極を第２の電極（対向電極ともいう）という。
【０００７】
図１５（Ｂ）には、反転駆動を行う図１５（Ａ）の画素１５００の動作を説明するためのタイミングチャートの例を示す。図１５（Ｂ）に示すタイミングチャートでは、反転駆動の反転駆動期間１５１１及び非反転駆動期間１５１２の各１フレーム期間における、走査線（ＧＬ）、信号線（ＳＬ）、共通電位線（ＣＬ）、第１の電極（ＰＥ）、第２の電極（ＣＥ）についてのタイミングチャートを示している。
【０００８】
図１５（Ｂ）で、走査線（ＧＬ）の走査信号の電位は、画素を選択する期間、すなわちトランジスタ１５０１を導通（オンともいう）とする期間でＶｇｈ、他の期間、すなわちトランジスタ１５０１を非導通（オフともいう）とする期間でＶｇｌ（Ｖｇｈ＞Ｖｇｌ）としている。また、信号線（ＳＬ）の電位は表示する画像に応じて変動するが、ここでは非反転駆動するための電位としてＶｄｈ、反転駆動するための電位としてＶｄｌ（Ｖｄｈ＞Ｖｄｌ）としている。なお図１５（Ｂ）では、信号線（ＳＬ）の映像信号の階調に応じて第１の電極（ＰＥ）の電位が異なることとなるが、説明のため、走査線（ＧＬ）の走査信号に応じて第１の電極（ＰＥ）がＶｄｈまたはＶｄｌと反転する様子を示している。また、図１５（Ｂ）では、共通電位線（ＣＬ）、すなわち第２の電極（ＣＥ）の電位をＶｃとしている。
【０００９】
反転駆動の例としてゲートライン反転駆動は、第２の電極の電位よりも高い値の映像信号と第２の電極の電位よりも低い値の映像信号とを１行ずつ交互に画素に入力する駆動である。ソースライン反転駆動は、第２の電極の電位よりも高い値の映像信号と第２の電極の電位よりも低い値の映像信号とを１列ずつ交互に画素に入力する駆動である。ドット反転駆動は、第２の電極の電位よりも高い値の映像信号と第２の電極の電位よりも低い値の映像信号とを１行且つ１列ずつ交互に画素に入力する駆動である。
【００１０】
図１５（Ｂ）を用いて説明した反転駆動による駆動方法では、映像信号の振幅電圧が大きいため、消費電力が大きくなってしまう。そこで、映像信号の振幅電圧を小さくし、消費電力の削減を図る技術として、第２の電極（ＣＥ）の電位を一定期間、例えば１フレーム毎に反転させるコモン反転駆動が知られている。
【００１１】
図１５（Ｃ）は、コモン反転駆動を行う画素１５００の動作を説明するためのタイミングチャートの例を示す。図１５（Ｃ）は、図１５（Ｂ）と、第２の電極（ＣＥ）の電位は反転駆動期間１５１１と非反転駆動期間１５１２とで逆位相となっている点で異なる。図１５（Ｃ）の駆動方法では、第２の電極（ＣＥ）の電位がハイレベル（Ｖｃｈ）になるフレームでは第２の電極（ＣＥ）の電位よりも映像信号の振幅電圧を低い値（Ｖｄｌ）とし、第２の電極（ＣＥ）の電位がロウレベル（Ｖｃｌ）になるフレームでは第２の電極（ＣＥ）の電位よりも映像信号の振幅電圧を高い値（Ｖｄｈ）とする。これにより、図１５（Ｂ）を用いて説明した駆動方法と比較すると、映像信号の振幅電圧を約半分にすることができる。よって、映像信号の振幅電圧を小さくすることができ、消費電力の削減を図ることができる。
【００１２】
図１５（Ｃ）に示すようにコモン反転駆動では、第２の電極（ＣＥ）の電位が反転すると、第１の電極（ＰＥ）の電位が容量結合により変化する。そのため、第１の電極（ＰＥ）の電位は、映像信号よりも高くなる、または低くなるといったこととなる。走査線（ＧＬ）の走査信号の電位は、このような第１の電極（ＰＥ）の電位を保持するため、大きくしておく必要がある。例えば、第１の電極（ＰＥ）の電位が映像信号の最大値程度の値Ｖｄｈだとする。このとき、第２の電極（ＣＥ）の電位がローレベル（Ｖｃｌ）からハイレベル（Ｖｃｈ）に反転すると、第１の電極（ＰＥ）の電位は、映像信号の最大値の値Ｖｄｈからさらに上がった値（Ｖｄｈ＋ΔＶ）となる。また、第１の電極（ＰＥ）の電位が映像信号の最小値程度の値Ｖｄｌだとする。このとき、第２の電極（ＣＥ）の電位がハイレベル（Ｖｃｈ）からロウレベル（Ｖｃｌ）に反転すると、第１の電極（ＰＥ）の電位は、映像信号の最小値Ｖｄｌからさらに下がった値（Ｖｄｌ−ΔＶ）となる。そのため、トランジスタ１５０１をオフにするために走査線（ＧＬ）の走査信号の電位のロウレベル（Ｖｇｌ）は、映像信号の最小値Ｖｄｌからさらに低減した第１の電極（ＰＥ）の電位（Ｖｄｌ−ΔＶ）よりも低く設定しておく必要がある。その結果、コモン反転駆動を用いても、走査線（ＧＬ）の走査信号の振幅電圧を十分に小さくすることが難しい。
【００１３】
コモン反転駆動による走査線（ＧＬ）の走査信号の振幅電圧を十分に小さくできないといった問題は、駆動電圧が大きい液晶モードを用いる際に、特に問題になる。例えば、ブルー相の液晶相を示す液晶材料（以下、ブルー相液晶）の駆動電圧は、＋２０（Ｖ）乃至−２０（Ｖ）程度である。つまり、映像信号の振幅電圧は、約４０（Ｖ）であり、走査線（ＧＬ）の走査信号の振幅電圧として４０（Ｖ）以上の電圧（例えば約５０（Ｖ））が必要となる。そのため、高電圧が印加されるトランジスタ、例えば画素を構成するトランジスタには、大きな電圧がゲートとソース又はドレインとの間に印加される。これにより、トランジスタの特性が変化、トランジスタの特性が劣化、またはトランジスタそのものが破壊される、といった問題が生じることとなる。
【００１４】
そこで本発明の一態様は、走査線の走査信号の振幅電圧を小さくすることができるコモン反転駆動を用いた液晶表示装置を提供することを目的とする。
【課題を解決するための手段】
【００１５】
本発明の一態様は、ゲートが走査線に電気的に接続され、第１端子が信号線に電気的に接続され、第２端子が液晶素子の第１の電極に電気的に接続された第１のトランジスタと、ゲートが走査線に電気的に接続され、第１端子が共通電位線に電気的に接続され、第２端子が液晶素子の第２の電極に電気的に接続された第２のトランジスタと、を有し、第１の電極には、液晶素子を反転駆動するための映像信号が信号線より供給され、第２の電極には、映像信号の供給に同期して共通電位が共通電位線より供給される液晶表示装置である。
【００１６】
本発明の一態様において、第１の電極と、第２の電極とで容量素子が設けられる液晶表示装置でもよい。
【００１７】
本発明の一態様は、ゲートが走査線に電気的に接続され、第１端子が信号線に電気的に接続され、第２端子が液晶素子の第１の電極に電気的に接続された第１のトランジスタと、ゲートが走査線に電気的に接続され、第１端子が共通電位線に電気的に接続され、第２端子が液晶素子の第２の電極に電気的に接続された第２のトランジスタと、を有し、第１の電極には、液晶素子を反転駆動するための映像信号が信号線より供給され、第１の電極と容量線とで第１の容量素子が形成されており、第２の電極には、映像信号の供給に同期して共通電位が共通電位線より供給され、第２の電極と容量線とで第２の容量素子が形成されている液晶表示装置である。
【００１８】
本発明の一態様は、ゲートが走査線に電気的に接続され、第１端子が信号線に電気的に接続され、第２端子が液晶素子の第１の電極に電気的に接続された第１のトランジスタと、ゲートが走査線に電気的に接続され、第１端子が共通電位線に電気的に接続され、第２端子が液晶素子の第２の電極に電気的に接続された第２のトランジスタと、を有し、第１の電極には、液晶素子を反転駆動するための映像信号が信号線より供給され、第１の電極と共通電位線とで第１の容量素子が形成されており、第２の電極には、映像信号の供給に同期して共通電位が共通電位線より供給され、第２の電極と共通電位線とで第２の容量素子が形成されている液晶表示装置である。
【００１９】
本発明の一態様において、反転駆動は、走査線毎に極性の異なる映像信号を液晶素子に印加することで行われる液晶表示装置でもよい。
【００２０】
本発明の一態様において、反転駆動は、信号線毎に極性の異なる映像信号を液晶素子に印加することで行われる液晶表示装置でもよい。
【発明の効果】
【００２１】
本発明の一態様によれば、コモン反転駆動による走査線の走査信号の振幅電圧を小さくし、低消費電力化を図れた液晶表示装置を提供することができる。
【図面の簡単な説明】
【００２２】
【図１】本発明の一形態における回路図、及びタイミングチャート図。
【図２】本発明の一形態における各信号の電位を説明する図。
【図３】本発明の一形態におけるタイミングチャート図。
【図４】本発明の一形態における回路図。
【図５】本発明の一形態における回路図。
【図６】本発明の一形態におけるブロック図。
【図７】本発明の一形態における回路図、タイミングチャート図、模式図。
【図８】本発明の一形態におけるタイミングチャート図、模式図、回路図。
【図９】本発明の一形態における回路図、タイミングチャート図、模式図。
【図１０】本発明の一形態におけるタイミングチャート図及び模式図。
【図１１】本発明の一形態における回路図、タイミングチャート図、模式図。
【図１２】本発明の一形態における上面図及び断面図。
【図１３】本発明の一形態における断面図。
【図１４】本発明の一形態における電子機器を説明する図。
【図１５】反転駆動を説明するための回路図、及びタイミングチャート図。
【発明を実施するための形態】
【００２３】
以下、本発明の実施の形態について図面を参照しながら説明する。但し、本発明は多くの異なる態様で実施することが可能であり、本発明の趣旨及びその範囲から逸脱することなくその形態及び詳細を様々に変更し得ることは当業者であれば容易に理解される。従って本実施の形態の記載内容に限定して解釈されるものではない。なお、以下に説明する本発明の構成において、同じ物を指し示す符号は異なる図面間において共通とする。
【００２４】
なお、各実施の形態の図面等において示す各構成の、大きさ、層の厚さ、信号波形、又は領域は、明瞭化のために誇張されて表記している場合がある。よって、必ずしもそのスケールに限定されない。
【００２５】
なお本明細書にて用いる第１、第２、第３、乃至第Ｎ（Ｎは自然数）という用語は、構成要素の混同を避けるために付したものであり、数的に限定するものではないことを付記する。
【００２６】
（実施の形態１）
本実施の形態では、液晶表示装置における画素の構成、及び液晶表示装置を駆動するための各信号のタイミングチャートを用いて説明する。
【００２７】
なお本実施の形態における液晶素子としては、ブルー相液晶を用いた場合を例にして説明する。ブルー相液晶は、横電界方式で駆動する液晶であり、液晶素子の第２の電極に相当する共通電極を液晶素子の第１の電極に相当する画素電極と同じ基板に形成して液晶素子を形成する。なお、本実施の形態の構成は、ブルー相液晶に限らず、横電界方式の液晶、または第１の電極及び第２の電極を同じ基板に形成することができる液晶、に用いることができる。
【００２８】
図１（Ａ）は、画素の回路図の例を示す。画素１００は、第１のトランジスタ１０１と、第２のトランジスタ１０２と、液晶素子１０３と、を有する。
【００２９】
第１のトランジスタ１０１の第１端子は、信号線１０４に接続されている。第１のトランジスタ１０１のゲートは走査線１０５に接続されている。第１のトランジスタ１０１の第２端子は、液晶素子１０３の第１の電極（画素電極ともいう）に接続されている。第２のトランジスタ１０２の第１端子は、共通電位線１０６に接続されている。第２のトランジスタ１０２のゲートは走査線１０５に接続されている。第２のトランジスタ１０２の第２端子は、液晶素子１０３の第２の電極（共通電極ともいう）に接続されている。
【００３０】
画像を表示するための各画素の階調は、液晶素子１０３の第１の電極の電位と第２の電極の電位とを変化させて、液晶素子１０３の第１の電極及び第２の電極に挟持される液晶に印加する電圧を制御することで、表される。第１の電極の電位の制御は、信号線１０４に入力される映像信号を制御することにより行われ、第２の電極の電位の制御は、共通電位線１０６の電位を制御することにより行われる。信号線１０４の映像信号による電位は、第１のトランジスタ１０１が導通状態となることにより、液晶素子１０３の第１の電極に供給される。共通電位線１０６の電位は、第２のトランジスタ１０２が導通状態となることにより、液晶素子１０３の第２の電極に供給される。
【００３１】
なお、画素とは、一つの色要素（例えばＲ（赤）Ｇ（緑）Ｂ（青）のいずれか１つ）の明るさを制御できる表示単位に相当するものとする。従って、カラー表示装置の場合には、カラー画像の最小表示単位は、Ｒの画素とＧの画素とＢの画素との三画素から構成されるものとする。ただし、カラー画像を表示するための色要素は、三色に限定されず、三色以上を用いても良いし、ＲＧＢ以外の色を用いても良い。
【００３２】
なお、トランジスタは、ゲートと、ドレインと、ソースとを含む少なくとも三つの端子を有する素子であり、ドレイン領域とソース領域の間にチャネル領域を有しており、ドレイン領域とチャネル領域とソース領域とを介して電流を流すことができる。ここで、ソースとドレインとは、トランジスタの構造や動作条件等によって変わるため、いずれがソースまたはドレインであるかを限定することが困難である。そこで、本明細書においては、ソース及びドレインとして機能する領域を、ソースもしくはドレインと呼ばない場合がある。その場合、一例としては、それぞれを第１端子、第２端子と表記する場合がある。あるいは、それぞれを第１の電極、第２の電極と表記する場合がある。あるいは、ソース領域、ドレイン領域と表記する場合がある。
【００３３】
なお、本明細書においてＡとＢとが接続されている、とは、ＡとＢとが直接接続されているものの他、電気的に接続されているものを含むものとする。ここで、ＡとＢとが電気的に接続されているとは、ＡとＢとの間に何らかの電気的作用を有する対象物が存在するとき、対象物を含むＡとＢとの間の部分がノードとなる場合を表すものとする。具体的には、トランジスタをはじめとするスイッチング素子を介してＡとＢとが接続され、該スイッチング素子の導通によって、ＡとＢとが概略同電位となる場合や、抵抗素子を介してＡとＢとが接続され、該抵抗素子の両端に発生する電位差が、ＡとＢとを含む回路の動作に影響しない程度となっている場合など、回路動作を考えた場合、ＡとＢとの間の部分を同じノードとして捉えて差し支えない状態である場合を表す。
【００３４】
なお、電圧とは、ある電位と、基準の電位（例えばグラウンド電位）との電位差のことを示す場合が多い。よって、電圧、電位、電位差を、各々、電位、電圧、電圧差と言い換えることができる。
【００３５】
なお画素に設けるトランジスタの構造については逆スタガ型の構造でもよいし、順スタガ型の構造でもよい。または、チャネル領域が複数の領域に分かれて直列に接続された、ダブルゲート型の構造でもよい。または、ゲート電極がチャネル領域の上下に設けられたデュアルゲート型の構造でもよい。また、トランジスタを構成する半導体層を複数の島状の半導体層にわけて形成し、スイッチング動作を実現しうるトランジスタ素子としてもよい。
【００３６】
図１（Ｂ）は、図１（Ａ）に示す画素１００の動作を説明するためのタイミングチャートの例である。図１（Ｂ）において、ＧＬは走査線１０５の電位、ＳＬは信号線１０４の映像信号の振幅電圧、ＣＬは共通電位線の電位、ＰＥは第１の電極の電位、ＣＥは第２の電極の電位を表している。また、期間１１１は液晶素子１０３を反転駆動するための反転駆動期間、期間１１２は液晶素子１０３を非反転駆動するための非反転駆動期間であり、期間１１１及び期間１１２は１フレーム期間に相当する。
【００３７】
図１（Ｂ）で、走査線１０５（ＧＬ）の電位は、画素を選択する期間、すなわち第１のトランジスタ１０１及び第２のトランジスタ１０２を導通状態（オン）とする期間でＶｇｈ、他の期間、すなわち第１のトランジスタ１０１及び第２のトランジスタ１０２を非導通状態（オフ）とする期間でＶｇｌ（Ｖｇｈ＞Ｖｇｌ）としている。また、信号線１０４（ＳＬ）の電位は表示する画像に応じて変動するが、ここでは非反転駆動するための電位としてＶｄｈ、反転駆動するための電位としてＶｄｌ（Ｖｄｈ＞Ｖｄｌ）としている。なお図１（Ｂ）では、信号線１０４（ＳＬ）の映像信号の階調に応じて第１の電極（ＰＥ）の電位が異なることとなるが、説明のため、走査線（ＧＬ）の走査信号に応じてＶｄｈまたはＶｄｌと反転する様子を示している。また、図１（Ｂ）で、期間１１１では第２の電極（ＣＥ）の電位（Ｖｃｈ）よりも映像信号の振幅電圧を低い値（Ｖｄｌ）とし、第２の電極（ＣＥ）の電位がロウレベル（Ｖｃｌ）になるフレームでは第２の電極（ＣＥ）の電位よりも映像信号の振幅電圧を高い値（Ｖｄｈ）とする。これにより、上述の図１５（Ｃ）を用いて説明した駆動方法と同様に、映像信号の振幅電圧を約半分にすることができる。よって、映像信号の振幅電圧を小さくすることができ、消費電力の削減を図ることができる。
【００３８】
図１（Ｂ）に示すように期間１１１と期間１１２では共に、走査線１０５（ＧＬ）の電位がＶｇｈになり、第１のトランジスタ１０１及び第２のトランジスタ１０２が図１（Ｂ）中の矢印１２１及び矢印１２２の時点でオンになることにより、画素が選択される。すなわち第１の電極に信号線より映像信号が供給されると共に、第２の電極には映像信号の供給に同期して共通電位線より共通電位が供給されることとなる。よって、第１の電極（ＰＥ）の電位は、期間１１１の図１（Ｂ）中の矢印１２１の時点で、映像信号と同じになる。また、第２の電極（ＣＥ）の電位は、期間１１２の図１（Ｂ）中の矢印１２２の時点で、共通電位線（ＣＬ）と同じになる。例えば期間１１１で、画素が選択されたときの共通電位線（ＣＬ）の電位がＶｃｈであれば、映像信号は共通電位線（ＣＬ）のＶｃｈの電位よりも低い電位Ｖｄｌである。また期間１１２で、画素が選択されたときの共通電位線（ＣＬ）の電位がＶｃｌであれば、映像信号は共通電位線（ＣＬ）のＶｃｌの電位よりも高いＶｄｈである。
【００３９】
その後図１（Ｂ）に示すように期間１１１と期間１１２では共に、走査線１０５（ＧＬ）の電位がＶｇｌになり、第１のトランジスタ１０１及び第２のトランジスタ１０２が図１（Ｂ）中の矢印１２３及び矢印１２４の時点でオフになることにより、画素が非選択となる。よって、第１の電極（ＰＥ）の電位及び第２の電極（ＣＥ）の電位は、各々、画素が選択されたときに設定された値のままになる。
【００４０】
次いで図１（Ｂ）に示すように走査線１０５（ＧＬ）の電位がＶｇｌで、第１のトランジスタ１０１及び第２のトランジスタ１０２がオフの状態の場合に、共通電位線（ＣＬ）の電位が図１（Ｂ）中の矢印１２５及び矢印１２６の時点で反転する。図１（Ａ）の回路構成とすることにより、第１のトランジスタ１０１及び第２のトランジスタ１０２が共にオフの状態になる。すなわち、液晶素子１０３を挟持する第１の電極（ＰＥ）及び第２の電極（ＣＥ）は共に電気的に浮遊状態（フローティング）とすることができる。そのため、画素が非選択となっている場合に共通電位線（ＣＬ）の電位がローレベル（Ｖｃｌ）からハイレベル（Ｖｃｈ）及び、ハイレベル（Ｖｃｈ）からローレベル（Ｖｃｌ）に反転する変化に応じた、容量結合による第１の電極（ＰＥ）の電位の変化をなくすことができる。
【００４１】
以上のことより、図１（Ａ）の画素では、共通電位線（ＣＬ）の電位が反転しても、第１の電極（ＰＥ）の電位は変わらないため、図１５（Ｃ）を用いて説明した駆動方法と異なり、走査線（ＧＬ）の走査信号の振幅電圧を小さくすることができる。
【００４２】
次いで、図１５（Ｃ）で示した走査線１５０５（ＧＬ）の電位、共通電位線１５０６（ＣＬ）の電位、及び信号線１５０４（ＳＬ）の映像信号の振幅電圧、並びに図１（Ｂ）で示した走査線１０５（ＧＬ）の電位、共通電位線１０６（ＣＬ）の電位、及び信号線１０４（ＳＬ）の映像信号の振幅電圧について、電位の高低を具体的に示し、本発明の一態様におけるコモン反転駆動での走査線の走査信号の振幅電圧を小さくし、低消費電力化を図れるといった利点について説明する。
【００４３】
図２（Ａ）に示す図は、図１５（Ｃ）で説明した走査線１５０５（ＧＬ）の電位、共通電位線１５０６（ＣＬ）の電位、及び信号線１５０４（ＳＬ）の映像信号の振幅電圧の電位を、液晶素子を非反転駆動するための期間（非反転駆動期間）、液晶素子を反転駆動するための期間（反転駆動期間）に分けて簡略化して示したものである。また、図２（Ｂ）に示す図は、図１（Ｂ）で説明した走査線１０５（ＧＬ）の電位、共通電位線１０６（ＣＬ）の電位、及び信号線１０４（ＳＬ）の映像信号の振幅電圧の電位を、液晶素子を非反転駆動するための期間（非反転駆動期間）、液晶素子を反転駆動するための期間（反転駆動期間）に分けて簡略化して示したものである。
【００４４】
図２（Ａ）では、走査線１５０５（ＧＬ）の電位を信号２０１、非反転駆動期間の期間２００Ａでの共通電位線１５０６（ＣＬ）の電位を信号２０２Ａ、反転駆動期間の期間２００Ｂでの共通電位線１５０６（ＣＬ）の電位を信号２０２Ｂ、非反転駆動期間の期間２００Ａでの信号線１５０４（ＳＬ）の映像信号の振幅電圧の電位を信号２０３Ａ、反転駆動期間の期間２００Ｂでの信号線１５０４（ＳＬ）の映像信号の振幅電圧の電位を信号２０３Ｂ、として示している。なお図２（Ａ）では、トランジスタ１５０１のしきい値電圧をＶｔｈ（Ｖｔｈ＞０）、非反転駆動期間における映像信号の振幅電圧の最大値を０、非反転駆動期間における映像信号の振幅電圧の最小値をＶｄｌ（Ｖｄｌ＜０）、反転駆動期間における映像信号の振幅電圧の最大値をＶｄｈ、反転駆動期間における映像信号の振幅電圧の最小値を０、非反転駆動期間における共通電位線１５０６（ＣＬ）のハイレベルの電位をＶｃｈ、反転駆動期間における共通電位線１５０６（ＣＬ）のローレベルの電位をＶｃｌ（Ｖｃｌ＜０）、とする。なおＶｃｈは、０より大きくＶｄｈより小さい値をとり、ＶｃｌはＶｄｌより大きく０より小さい値をとる。
【００４５】
図２（Ａ）に示すコモン反転駆動で信号２０１のハイレベル（Ｖｇｈ）の電位は、映像信号の最大値の値Ｖｄｈからさらにトランジスタ１５０１のしきい値電圧（Ｖｔｈ）分だけ上がった値（Ｖｄｈ＋Ｖｔｈ）となる。また、信号２０１のローレベル（Ｖｇｌ）の電位は、映像信号の最小値の値Ｖｄｌからさらにトランジスタ１５０１のしきい値電圧（Ｖｔｈ）分及び共通電位線１５０６（ＣＬ）のハイレベル（Ｖｃｈ）とローレベル（Ｖｃｌ）との電位差分低下した値｛Ｖｄｌ−（Ｖｃｈ−Ｖｃｌ）−Ｖｔｈ｝となる。信号２０１のローレベル（Ｖｇｌ）の電位を｛Ｖｄｌ−（Ｖｃｈ−Ｖｃｌ）−Ｖｔｈ｝とするのは、共通電位線１５０６（ＣＬ）の電位が反転する際、液晶素子を挟持する第１の電極（ＰＥ）の電位が容量結合により変化して映像信号の電位よりも低くなることによる電荷の漏れを低減するためである。
【００４６】
一方、図２（Ｂ）では、走査線１０５（ＧＬ）の電位を信号２１１、非反転駆動期間の期間２１０Ａでの共通電位線１０６（ＣＬ）の電位を信号２１２Ａ、反転駆動期間の期間２１０Ｂでの共通電位線１０６（ＣＬ）の電位を信号２１２Ｂ、非反転駆動期間の期間２１０Ａでの信号線１０４（ＳＬ）の映像信号の振幅電圧の電位を信号２１３Ａ、反転駆動期間の期間２１０Ｂでの信号線１０４（ＳＬ）の映像信号の振幅電圧の電位を信号２１３Ｂ、として示している。なお図２（Ｂ）では図２（Ａ）と同様にして、第１のトランジスタ１０１のしきい値電圧をＶｔｈ（Ｖｔｈ＞０）、非反転駆動期間における映像信号の振幅電圧の最大値を０、非反転駆動期間における映像信号の振幅電圧の最小値をＶｄｌ（Ｖｄｌ＜０）、反転駆動期間における映像信号の振幅電圧の最大値をＶｄｈ、反転駆動期間における映像信号の振幅電圧の最小値を０、非反転駆動期間における共通電位線１０６（ＣＬ）のハイレベルの電位をＶｃｈ、反転駆動期間における共通電位線１０６（ＣＬ）のローレベルの電位をＶｃｌ（Ｖｃｌ＜０）、とする。なおＶｃｈは、０より大きくＶｄｈより小さい値をとり、ＶｃｌはＶｄｌより大きく０より小さい値をとる。
【００４７】
図２（Ｂ）に示すコモン反転駆動で信号２１１のハイレベル（Ｖｇｈ）の電位は、映像信号の最大値の値Ｖｄｈからさらに第１のトランジスタ１０１のしきい値電圧（Ｖｔｈ）分だけ上がった値（Ｖｄｈ＋Ｖｔｈ）となる。また、信号２１１のローレベル（Ｖｇｌ）の電位は、映像信号の最小値の値Ｖｄｌからさらに第１のトランジスタ１０１のしきい値電圧（Ｖｔｈ）分低下した値（Ｖｄｌ−Ｖｔｈ）となる。本実施の形態の構成である図２（Ｂ）の回路は、信号２０１のローレベル（Ｖｇｌ）の電位を（Ｖｄｌ−Ｖｔｈ）としても共通電位線１０６（ＣＬ）の電位が反転する際、液晶素子を挟持する第１の電極（ＰＥ）の電位が容量結合により変化せず、信号２０１のローレベル（Ｖｇｌ）の電位を（Ｖｄｌ−Ｖｔｈ）よりさらに小さくする必要はない。そのため本実施の形態の構成である図２（Ｂ）の回路は、走査線１０５（ＧＬ）の走査信号の振幅電圧を小さくすることができ、低消費電力化を図ることができる。
【００４８】
以上説明したよう、走査線の走査信号の振幅電圧を小さくすることができる、その結果、走査線に接続されたトランジスタに印加される電圧を小さくすることができるため、トランジスタの特性の変化、トランジスタの特性の劣化、トランジスタの破壊などを防止することができる。
【００４９】
本実施の形態は、他の実施の形態に記載した構成と適宜組み合わせて実施することが可能である。
【００５０】
（実施の形態２）
本実施の形態では、上記実施の形態１の図１（Ｂ）で説明した図１（Ａ）を駆動するためのタイミングチャートとは異なる構成について、図３に示すタイミングチャートで説明する。図３のタイミングチャートが図１（Ｂ）で説明したタイミングチャートと異なる点は共通電位線（ＣＬ）の電位を１ゲート選択期間（１水平期間、図３中、期間１３１）毎にＶｃｈとＶｃｌとが反転するよう駆動させる点にある。従って、図３に示す各配線の電位、映像信号の振幅電圧については、図１（Ｂ）と同様である。なお図１（Ｂ）で説明した期間１１１及び期間１１２は１フレーム期間に相当し、図３では１ｆｒａｍｅと記している。
【００５１】
すなわち図３に示すように、走査線１０５（ＧＬ）の電位がＶｇｈになり、第１のトランジスタ１０１及び第２のトランジスタ１０２が同期してオンになることにより、画素が選択される。また図３に示すように、走査線１０５（ＧＬ）の電位がＶｇｌになり、第１のトランジスタ１０１及び第２のトランジスタ１０２が同期してオフになることにより、画素が非選択となる。よって、第１の電極（ＰＥ）の電位及び第２の電極（ＣＥ）の電位は、各々、画素が選択されたときに設定された値のままになる。そのため図３に示すように走査線１０５（ＧＬ）の電位がＶｇｌで、第１のトランジスタ１０１及び第２のトランジスタ１０２がオフの状態の場合に、共通電位線（ＣＬ）の電位がローレベル（Ｖｃｌ）からハイレベル（Ｖｃｈ）に反転する変化に応じた、容量結合による第１の電極（ＰＥ）の電位の変化をなくすことができる。
【００５２】
なお、期間１３１の長さを複数のゲート選択期間毎（例えば２又は３つのゲート選択期間毎）に反転するよう駆動させてもよい。これにより、液晶表示装置の消費電力の削減を図ることができる。
【００５３】
以上のことより、図１（Ａ）の画素では、共通電位線（ＣＬ）の電位の反転駆動においてタイミングまたは期間を可変しても、第１の電極（ＰＥ）の電位は変わらないものとすることができる。そのため、図１５（Ｃ）を用いて説明した駆動方法と異なり、走査線（ＧＬ）の走査信号の振幅電圧を小さくすることができる。
【００５４】
本実施の形態は、他の実施の形態に記載した構成と適宜組み合わせて実施することが可能である。
【００５５】
（実施の形態３）
本実施の形態では、上記実施の形態１の図１（Ａ）とは異なる画素の構成について説明する。具体的には、図１（Ａ）の構成に加え、第１の電極（ＰＥ）の電位を保持するための第１の容量素子、第２の電極（ＣＥ）の電位を保持するための第２の容量素子を設けた構成について説明する。
【００５６】
図４（Ａ）は、図１（Ａ）の構成に加え、容量配線５０１を設け、容量配線５０１と液晶素子１０３の第１の電極（ＰＥ）とで第１の容量素子５０２、容量配線５０１と液晶素子１０３の第２の電極（ＣＥ）とで第２の容量素子５０３を設ける構成を示す。なお、第１の容量素子５０２または第２の容量素子５０３を省略することもできる。
【００５７】
また図４（Ｂ）は、図４（Ａ）に示す画素の構成において、容量配線５０１を省略し、第１の容量素子５０２が第１の電極（ＰＥ）と共通電位線１０６とで、第２の容量素子５０３が共通電位線１０６と第２の電極（ＣＥ）とで設けられる構成を示している。図４（Ｂ）の構成とすることにより、図４（Ａ）の構成に比べ、容量配線５０１の分だけ配線の数を減らすことができる。
【００５８】
なお、第１の容量素子５０２及び第２の容量素子５０３は、別の行（例えば１つ又は２つ前の行）の走査線１０５と、第１の電極（ＰＥ）または第２の電極（ＣＥ）とで設ける構成とすることも可能である。
【００５９】
また図５は、液晶素子１０３の第１の電極（ＰＥ）と第２の電極（ＣＥ）とで容量素子５０４を設ける構成を示している。図４（Ｂ）の構成とすることにより、図４（Ａ）の構成に比べ、容量配線５０１の分だけ配線の数を減らすことができる。
【００６０】
本実施の形態は、他の実施の形態に記載した構成と適宜組み合わせて実施することが可能である。
【００６１】
（実施の形態４）
本実施の形態では、上記実施の形態１の図１（Ａ）の画素を有する液晶表示装置の表示パネルの構成について説明する。
【００６２】
図６（Ａ）には、表示パネルの概略図について示している。図６（Ａ）は、第１のトランジスタ１０１、第２のトランジスタ１０２、及び液晶素子１０３を有する画素１００が複数設けられた画素部６０１、複数の信号線１０４を駆動するための信号線駆動回路６０２、複数の走査線１０５を駆動するための走査線駆動回路６０３、複数の共通電位線１０６を駆動するための共通電位線駆動回路６０４を有する。
【００６３】
なお信号線駆動回路６０２、走査線駆動回路６０３、及び共通電位線駆動回路６０４は、画素部６０１と同じ基板上に設ける構成とすることが好ましいが、必ずしも設ける必要はない。画素部６０１と同じ基板上に信号線駆動回路６０２、走査線駆動回路６０３、及び共通電位線駆動回路６０４を設けることで、外部との接続端子数を削減することができ、液晶表示装置の小型化を図ることができる。
【００６４】
なお、画素１００は、マトリクス状に配置（配列）されている。ここで、画素がマトリクスに配置（配列）されているとは、縦方向もしくは横方向において、画素が直線上に並んで配置されている場合や、ギザギザな線上に配置されている場合を含む。
【００６５】
図６（Ｂ）には、複数の走査線１０５を駆動するための走査線駆動回路６０３に設けられるシフトレジスタ回路の構成の一例について示している。図６（Ｂ）に示すシフトレジスタ回路６１０は、例えば、クロック信号ＣＬＫ、反転クロック信号ＣＬＫＢ、及びスタートパルスＳＰ等のタイミング信号により、複数のパルス出力回路６１１の出力端子ｏｕｔ１乃至ｏｕｔＮ（Ｎは自然数）、すなわち走査線１０５より順次第１のトランジスタ１０１及び第２のトランジスタ１０２のゲートに印加する走査信号を供給することとなる。
【００６６】
図６（Ｂ）に示すパルス出力回路６１１を構成するトランジスタを、画素部６０１における画素１００の第１のトランジスタ１０１及び第２のトランジスタ１０２と同じ基板上に形成する場合、パルス出力回路６１１は単極性のトランジスタによる回路構成（以下、単極性回路）となる。単極性回路によるパルス出力回路６１１の簡単な構成について図６（Ｃ）に示す。
【００６７】
図６（Ｃ）に示す単極性回路のパルス出力回路６１１は、バッファ部６２０と、バッファ部を制御する制御回路部６２１に大別される。バッファ部６２０はプルアップトランジスタ６２２及びプルダウントランジスタ６２３を有し、共に同じ極性のトランジスタである。プルアップトランジスタ６２２は、制御回路部６２１の制御に応じてブートストラップ動作をし、クロック信号ＣＬＫのハイレベルの電位に応じた信号を走査線１０５に供給することができる。従って走査線１０５に高い電位の信号を供給する場合、ブートストラップ動作によりプルアップトランジスタ６２２のゲートには、より高い電位が印加されることとなる。上記実施の形態１の構成とすることで、走査線１０５の走査信号の振幅電圧を低減することができる。そのため、プルアップトランジスタ６２２のゲートに印加される高い電位を低減することができるため、単極性回路によるシフトレジスタ回路の劣化を低減できることがわかる。
【００６８】
本実施の形態は、他の実施の形態に記載した構成と適宜組み合わせて実施することが可能である。
【００６９】
（実施の形態５）
本実施の形態では、上記実施の形態１の図１（Ａ）で示した画素の構成について、反転駆動をする複数の構成について説明する。
【００７０】
まず図７（Ａ）乃至（Ｃ）では、フレーム反転駆動の駆動をする際の回路図、タイミングチャート図、模式図について示し説明する。図７（Ａ）には画素１００がマトリクス状に配置され、共通電位線（ＣＬ）が全ての画素で共通である回路図を示している。また、図７（Ａ）で複数の走査線（ＧＬ）はＧＬ１乃至ＧＬｎ（ｎは任意の自然数）で表し、複数の信号線（ＳＬ）はＳＬ１乃至ＳＬｍ（ｍは任意の自然数）で表している。
【００７１】
図７（Ｂ）は、図７（Ａ）に示した回路図を説明するためのタイミングチャートを示している。フレーム反転駆動の場合、共通電位線（ＣＬ）の電位は１フレーム毎に反転する。図１（Ｂ）で説明した期間１１１及び期間１１２は、図７（Ｂ）では１ｆｒａｍｅと記している。また、図１（Ｂ）で説明したように第２の電極（ＣＥ）の電位は、走査線（ＧＬ）の走査信号により信号線（ＳＬ）からの映像信号の供給に同期して共通電位線（ＣＬ）の電位が供給される。
【００７２】
図７（Ｃ）に示す模式図では、連続するＮフレーム目（Ｎは任意の自然数）と、（Ｎ＋１）フレームとで、１フレーム毎に液晶素子１０３の第１の電極（ＰＥ）と第２の電極（ＣＥ）との間に印加される電圧の極性（図中、＋記号、−記号で表記）が交互に切り替わる様子を示している。これは、いわゆるフレーム反転駆動である。
【００７３】
なお図７（Ｂ）で説明した駆動方法は、共通電位線（ＣＬ）の電位を複数フレーム毎（例えば２又は３フレーム毎）に反転させるものでもよい。この場合、液晶素子１０３には、複数フレーム毎に液晶素子１０３の第１の電極（ＰＥ）と第２の電極（ＣＥ）との間に印加される電圧の極性が交互に切り替わる構成となる。これにより、液晶表示装置の消費電力の削減を図ることができる。
【００７４】
次いで図８（Ａ）、（Ｂ）では、ゲートライン反転駆動の駆動をする際の、タイミングチャート図、模式図について示し説明する。なお回路図については、図７（Ａ）と同様の回路図で説明する。
【００７５】
図８（Ａ）は、図７（Ａ）に示した回路図をゲートライン反転駆動で駆動をする際のタイミングチャートを示している。ゲートライン反転駆動の場合、共通電位線（ＣＬ）の電位は１ゲート選択期間毎に反転する。図１（Ｂ）で説明した期間１１１及び期間１１２は、図８（Ａ）では１ｆｒａｍｅと記している。また、図１（Ｂ）で説明したように第２の電極（ＣＥ）の電位は、走査線ＧＬ１の走査信号により信号線ＳＬ１からの映像信号の供給に同期して共通電位線（ＣＬ）の電位が供給される。
【００７６】
図８（Ｂ）に示す模式図では、液晶素子１０３の第１の電極（ＰＥ）と第２の電極（ＣＥ）との間に印加される電圧の極性（図中、＋記号、−記号で表記）が交互に切り替わる様子を示している。そして図８（Ｂ）では、連続するＮフレーム目（Ｎは任意の自然数）と、（Ｎ＋１）フレームとで、行毎に液晶素子１０３の第１の電極（ＰＥ）と第２の電極（ＣＥ）との間に印加される電圧の極性が交互に切り替わる様子を示している。これは、いわゆるゲートライン反転駆動である。
【００７７】
なお図８（Ａ）で説明した駆動方法は、共通電位線（ＣＬ）の電位を複数のゲート選択期間毎（例えば２又は３ゲート選択期間毎）に反転させるものでもよい。この場合、液晶素子１０３には、正極の電圧と負極の電圧とが複数行ずつ交互に印加される。これにより、消費電力の削減を図ることができる。
【００７８】
また図７（Ａ）に示す回路図では、隣接する画素間で共通電位線（ＣＬ）を共有する構成とすることにより、配線数を削減することができる。具体的な構成について図８（Ｃ）に示す。図８（Ｃ）に示すように奇数列（図８（Ｃ）中ＳＬ２ｍ−１）の画素の共通電位線（ＣＬ）と偶数列（図８（Ｃ）中ＳＬ２ｍ）の画素の共通電位線（ＣＬ）を共有する構成とすることで、各列の画素に共通電位線（ＣＬ）を引き回す分の面積を削減することができる。
【００７９】
次いで図９（Ａ）乃至（Ｃ）では、ソースライン反転駆動の駆動をする際の、回路図、タイミングチャート図、模式図について示し説明する。図９（Ａ）には奇数列の画素１００Ａ、偶数列の画素１００Ｂがマトリクス状に配置され、第１の共通電位線ＣＬ１が奇数列の画素１００Ａ、第２の共通電位線ＣＬ２が偶数列の画素１００Ｂで共通である回路図を示している。また、図９（Ａ）で複数の走査線（ＧＬ）はＧＬ１乃至ＧＬ４（ＧＬｎ（ｎは任意の自然数））で表し、複数の信号線（ＳＬ）はＳＬ１乃至ＳＬ４（ＳＬｍ（ｍは任意の自然数））で表している。
【００８０】
なお、第１の共通電位線ＣＬ１、第２の共通電位線ＣＬ２は、複数列（例えば２列又は３列）の画素で共通であることが可能である。例えば、１列目と２列の画素は、第１の共通電位線ＣＬ１と接続され、３列目と４列目の画素は、第２の共通電位線ＣＬ２と接続され、５列目と６列目の画素は、第１の共通電位線ＣＬ１と接続としてもよい。
【００８１】
図９（Ｂ）は、図９（Ａ）に示した回路図を説明するためのタイミングチャートを示している。ソースライン反転駆動の場合、第１の共通電位線ＣＬ１の電位は１フレーム毎に反転し、第２の共通電位線ＣＬ２の電位は１フレーム毎に反転し、第１の共通電位線ＣＬ１の電位と第２の共通電位線ＣＬ２の電位とは逆位相の関係の信号とする。図１（Ｂ）で説明した期間１１１及び期間１１２は、図９（Ｂ）では１ｆｒａｍｅと記している。また、図１（Ｂ）で説明したように第２の電極（ＣＥ）の電位は、奇数列の画素で走査線ＧＬ１の走査信号により信号線ＳＬ１からの映像信号の供給に同期して第１の共通電位線ＣＬ１の電位が供給され、偶数列の画素で走査線ＧＬ１の走査信号により信号線ＳＬ２からの映像信号の供給に同期して第２の共通電位線ＣＬ２の電位が供給される。
【００８２】
図９（Ｃ）に示す模式図では、連続するＮフレーム目（Ｎは任意の自然数）と、（Ｎ＋１）フレームとで、１フレーム毎に液晶素子１０３の第１の電極（ＰＥ）と第２の電極（ＣＥ）との間に印加される電圧の極性（図中、＋記号、−記号で表記）が交互に切り替わる様子を示している。そして図９（Ｃ）では、連続するＮフレーム目（Ｎは任意の自然数）と、（Ｎ＋１）フレームとで、列毎に液晶素子１０３の第１の電極（ＰＥ）と第２の電極（ＣＥ）との間に印加される電圧の極性が交互に切り替わる様子を示している。これは、いわゆるソースライン反転駆動である。
【００８３】
なお図９（Ｃ）で説明した駆動方法は、第１の共通電位線ＣＬ１、第２の共通電位線ＣＬ２の電位を複数フレーム毎（例えば２又は３フレーム毎）に反転させるものでもよい。この場合、液晶素子１０３には、複数フレーム毎に液晶素子１０３の第１の電極（ＰＥ）と第２の電極（ＣＥ）との間に印加される電圧の極性が交互に切り替わる構成となる。これにより、液晶表示装置の消費電力の削減を図ることができる。
【００８４】
次いで図１０（Ａ）、（Ｂ）では、ドット反転駆動の駆動をする際の、タイミングチャート図、模式図について示し説明する。なお回路図については、図９（Ａ）と同様の回路図で説明する。
【００８５】
図１０（Ａ）は、図９（Ａ）に示した回路図をドット反転駆動で駆動をする際のタイミングチャートを示している。ドット反転駆動の場合、奇数列に接続される第１の共通電位線ＣＬ１及び偶数列に接続される第２の共通電位線ＣＬ２の電位は、共に１ゲート選択期間毎に反転する。図１（Ｂ）で説明した期間１１１及び期間１１２は、図１０（Ａ）では１ｆｒａｍｅと記している。また、図１（Ｂ）で説明したように第２の電極（ＣＥ）の電位は、奇数列の画素において走査線ＧＬ１の走査信号により信号線ＳＬ１からの映像信号の供給に同期して第１の共通電位線ＣＬ１の電位が供給され、偶数列の画素において走査線ＧＬ１の走査信号により信号線ＳＬ２からの映像信号の供給に同期して第２の共通電位線ＣＬ２の電位が供給される。
【００８６】
図１０（Ｂ）に示す模式図では、液晶素子１０３の第１の電極（ＰＥ）と第２の電極（ＣＥ）との間に印加される電圧の極性（図中、＋記号、−記号で表記）が１行ずつ且つ１列ずつ交互に切り替わる様子を示している。そして図１０（Ｂ）では、連続するＮフレーム目（Ｎは任意の自然数）と、（Ｎ＋１）フレームとで、行毎且つ列毎に液晶素子１０３の第１の電極（ＰＥ）と第２の電極（ＣＥ）との間に印加される電圧の極性が交互に切り替わる様子を示している。これは、いわゆるドット反転駆動である。
【００８７】
なお図１０（Ａ）で説明した駆動方法は、共通電位線（ＣＬ）の電位を複数のゲート選択期間毎（例えば２又は３ゲート選択期間毎）に反転させるものでもよい。この場合、液晶素子１０３には、正極の電圧と負極の電圧とが複数行ずつ交互に印加される。これにより、消費電力の削減を図ることができる。
【００８８】
次いで図１１（Ａ）乃至（Ｃ）では、図７（Ａ）、図８（Ａ）、図８（Ｂ）で説明したゲートライン反転駆動とは異なる構成のゲートライン反転駆動の駆動をする際の、回路図、タイミングチャート図、模式図について示し説明する。図１１（Ａ）には奇数行の画素１００Ｃ、偶数行の画素１００Ｄがマトリクス状に配置され、第１の共通電位線ＣＬ１が奇数行の画素１００Ｃ、第２の共通電位線ＣＬ２が偶数行の画素１００Ｄで共通である回路図を示している。また、図１１（Ａ）で複数の走査線（ＧＬ）はＧＬ１乃至ＧＬ４（ＧＬｎ（ｎは任意の自然数））で表し、複数の信号線（ＳＬ）はＳＬ１乃至ＳＬ４（ＳＬｍ（ｍは任意の自然数））で表している。
【００８９】
なお、第１の共通電位線ＣＬ１、第２の共通電位線ＣＬ２は、複数行（例えば２行又は３行）の画素で共通であることが可能である。例えば、１行目と２行目の画素は、第１の共通電位線ＣＬ１と接続され、３行目と４行目の画素は、第２の共通電位線ＣＬ２と接続され、５行目と６行目の画素は、第２の共通電位線ＣＬ２と接続としてもよい。
【００９０】
図１１（Ｂ）は、図１１（Ａ）に示した回路図を説明するためのタイミングチャートを示している。図１１（Ａ）の構成のゲートライン反転駆動の場合、第１の共通電位線ＣＬ１の電位は１フレーム毎に反転し、第２の共通電位線ＣＬ２の電位は１フレーム毎に反転し、第１の共通電位線ＣＬ１の電位と第２の共通電位線ＣＬ２の電位とは逆位相の関係の信号とする。図１（Ｂ）で説明した期間１１１及び期間１１２は、図１１（Ｂ）では１ｆｒａｍｅと記している。また、図１（Ｂ）で説明したように第２の電極（ＣＥ）の電位は、奇数行の画素において走査線ＧＬ１の走査信号により信号線ＳＬ１からの映像信号の供給に同期して第１の共通電位線ＣＬ１の電位が供給され、偶数行の画素において走査線ＧＬ２の走査信号により信号線ＳＬ１からの映像信号の供給に同期して第２の共通電位線ＣＬ２の電位が供給される。
【００９１】
図１１（Ｃ）に示す模式図では、連続するＮフレーム目（Ｎは任意の自然数）と、（Ｎ＋１）フレームとで、１フレーム毎に液晶素子１０３の第１の電極（ＰＥ）と第２の電極（ＣＥ）との間に印加される電圧の極性（図中、＋記号、−記号で表記）が交互に切り替わる様子を示している。そして図１１（Ｃ）では、連続するＮフレーム目（Ｎは任意の自然数）と、（Ｎ＋１）フレームとで、行毎に液晶素子１０３の第１の電極（ＰＥ）と第２の電極（ＣＥ）との間に印加される電圧の極性が交互に切り替わる様子を示している。これは、いわゆるゲートライン反転駆動である。
【００９２】
なお図１１（Ｃ）で説明した駆動方法は、第１の共通電位線ＣＬ１、第２の共通電位線ＣＬ２の電位を複数フレーム毎（例えば２又は３フレーム毎）に反転させるものでもよい。この場合、液晶素子１０３は、複数フレーム毎に液晶素子１０３の第１の電極（ＰＥ）と第２の電極（ＣＥ）との間に印加される電圧の極性が交互に切り替わる構成となる。これにより、液晶表示装置の消費電力の削減を図ることができる。
【００９３】
本実施の形態は、他の実施の形態に記載した構成と適宜組み合わせて実施することが可能である。
【００９４】
（実施の形態６）
本実施の形態では、液晶表示装置が有する表示パネルの画素の平面図及び断面図の一例について図面を用いて説明する。
【００９５】
図１２（Ａ）は表示パネルが有する複数の画素の１つの平面図を示している。図１２（Ｂ）は図１２（Ａ）の一点鎖線Ａ−Ｂにおける断面図である。
【００９６】
図１２（Ａ）において、信号線となる配線層（ソース電極層１２０１ａ又はドレイン電極層１２０１ｂを含む）は、図中上下方向（列方向）に延伸するように配置されている。共通電位線となる配線層（ソース電極層１２０２ａ又はドレイン電極層１２０２ｂを含む）は、図中上下方向（列方向）に延伸するように配置されている。走査線となる配線層（ゲート電極層１２０３を含む）は、ソース電極層１２０１ａ及びソース電極層１２０２ａに概略直交する方向（図中左右方向（行方向））に延伸するように配置されている。容量配線層１２０４は、ゲート電極層１２０３に概略平行な方向であって、且つ、ソース電極層１２０１ａ及びソース電極層１２０２ａに概略直交する方向（図中左右方向（行方向））に延伸するように配置されている。
【００９７】
図１２（Ａ）において、表示パネルの画素には、ゲート電極層１２０３を有する第１のトランジスタ１２０５、及び第２のトランジスタ１２０６が設けられている。第１のトランジスタ１２０５及び第２のトランジスタ１２０６上には、絶縁膜１２０７、絶縁膜１２０８、及び層間膜１２０９が設けられている。
【００９８】
図１２（Ａ）、図１２（Ｂ）に示す表示パネルの画素は、第１のトランジスタ１２０５に接続される第１の電極層として透明電極層１２１０、第２のトランジスタ１２０６に接続される第２の電極層として透明電極層１２１１を有する。透明電極層１２１０及び透明電極層１２１１は、互いの櫛歯状の形状が噛み合うように、且つ離間して設けられている。第１のトランジスタ１２０５及び第２のトランジスタ１２０６上の絶縁膜１２０７、絶縁膜１２０８、及び層間膜１２０９には、開口（コンタクトホール）が形成されている。開口（コンタクトホール）において、透明電極層１２１０と第１のトランジスタ１２０５とが接続され、他の開口（コンタクトホール）において透明電極層１２１１と第２のトランジスタ１２０６とが接続されている。
【００９９】
図１２（Ａ）、図１２（Ｂ）に示す第１のトランジスタ１２０５は、ゲート絶縁層１２１２を介してゲート電極層１２０３上に配置された第１の半導体層１２１３を有し、第１の半導体層１２１３に接してソース電極層１２０１ａ及びドレイン電極層１２０１ｂを有する。図１２（Ａ）に示す第２のトランジスタ１２０６は、ゲート絶縁層１２１２を介してゲート電極層１２０３上に配置された第２の半導体層１２１４を有し、第２の半導体層１２１４に接してソース電極層１２０２ａ及びドレイン電極層１２０２ｂを有する。また、容量配線層１２０４、ゲート絶縁層１２１２、及びドレイン電極層１２０１ｂが積層して、第１の容量素子１２１５を形成している。また、容量配線層１２０４、ゲート絶縁層１２１２、及びドレイン電極層１２０２ｂが積層して、第２の容量素子１２１６を形成している。
【０１００】
また、第１のトランジスタ１２０５、第２のトランジスタ１２０６、及び液晶層１２１７を間に挟んで、第１の基板１２１８と第２の基板１２１９とが重畳されるように配置されている。
【０１０１】
なお図１２（Ｂ）では、第１のトランジスタ１２０５としてボトムゲート構造の逆スタガ型トランジスタを用いる例を示したが、本明細書に開示する液晶表示装置に適用できるトランジスタの構造は特に限定されない。例えば、ゲート絶縁層を介してゲート電極層が半導体層の上側に配置されるトップゲート構造のトランジスタ、及び、ゲート絶縁層を介してゲート電極層が半導体層の下側に配置されるボトムゲート構造のスタガ型トランジスタ及びプレーナ型トランジスタなどを用いることができる。
【０１０２】
本実施の形態は、他の実施の形態に記載した構成と適宜組み合わせて実施することが可能である。
【０１０３】
（実施の形態７）
本実施の形態では、本明細書に開示する液晶表示装置に適用できるトランジスタの例を示す。本明細書に開示する液晶表示装置に適用できるトランジスタの構造は特に限定されず、例えばゲート電極が、ゲート絶縁層を介して、半導体層の上側に配置されるトップゲート構造、又はゲート電極が、ゲート絶縁層を介して、半導体層の下側に配置されるボトムゲート構造のスタガ型及びプレーナ型などを用いることができる。また、トランジスタはチャネル形成領域が一つ形成されるシングルゲート構造でも、二つ形成されるダブルゲート構造もしくは三つ形成されるトリプルゲート構造であっても良い。また、チャネル領域の上下にゲート絶縁層を介して配置された２つのゲート電極層を有する、デュアルゲート型でもよい。図１３（Ａ）乃至（Ｄ）にトランジスタの断面構造の一例を示す。
【０１０４】
なお、図１３（Ａ）乃至（Ｄ）に示すトランジスタは、半導体層として酸化物半導体を用いるものである。酸化物半導体を用いることのメリットは、トランジスタのオン状態において高い電界効果移動度（最大値で５ｃｍ２／Ｖｓｅｃ以上、好ましくは最大値で１０ｃｍ２／Ｖｓｅｃ〜１５０ｃｍ２／Ｖｓｅｃ）と、トランジスタのオフ状態において低い単位チャネル幅あたりのオフ電流（例えば単位チャネル幅あたりのオフ電流が１ａＡ／μｍ未満、さらに好ましくは１０ｚＡ／μｍ未満、且つ、８５℃にて１００ｚＡ／μｍ未満）が得られることである。
【０１０５】
図１３（Ａ）に示すトランジスタ４１０は、ボトムゲート構造のトランジスタの一つであり、逆スタガ型トランジスタともいう。
【０１０６】
トランジスタ４１０は、絶縁表面を有する基板４００上に、ゲート電極層４０１、ゲート絶縁層４０２、酸化物半導体層４０３、ソース電極層４０５ａ、及びドレイン電極層４０５ｂを含む。また、トランジスタ４１０を覆い、酸化物半導体層４０３に積層する絶縁膜４０７が設けられている。絶縁膜４０７上にはさらに保護絶縁層４０９が形成されている。
【０１０７】
図１３（Ｂ）に示すトランジスタ４２０は、チャネル保護型（チャネルストップ型ともいう）と呼ばれるボトムゲート構造の一つであり逆スタガ型トランジスタともいう。
【０１０８】
トランジスタ４２０は、絶縁表面を有する基板４００上に、ゲート電極層４０１、ゲート絶縁層４０２、酸化物半導体層４０３、酸化物半導体層４０３のチャネル形成領域を覆うチャネル保護層として機能する絶縁層４２７、ソース電極層４０５ａ、及びドレイン電極層４０５ｂを含む。また、トランジスタ４２０を覆い、保護絶縁層４０９が形成されている。
【０１０９】
図１３（Ｃ）に示すトランジスタ４３０はボトムゲート型のトランジスタであり、絶縁表面を有する基板４００上に、ゲート電極層４０１、ゲート絶縁層４０２、ソース電極層４０５ａ、ドレイン電極層４０５ｂ、及び酸化物半導体層４０３を含む。また、トランジスタ４３０を覆い、酸化物半導体層４０３に接する絶縁膜４０７が設けられている。絶縁膜４０７上にはさらに保護絶縁層４０９が形成されている。
【０１１０】
トランジスタ４３０においては、ゲート絶縁層４０２は基板４００及びゲート電極層４０１上に接して設けられ、ゲート絶縁層４０２上にソース電極層４０５ａ、ドレイン電極層４０５ｂが接して設けられている。そして、ゲート絶縁層４０２、及びソース電極層４０５ａ、ドレイン電極層４０５ｂ上に酸化物半導体層４０３が設けられている。
【０１１１】
図１３（Ｄ）に示すトランジスタ４４０は、トップゲート構造のトランジスタの一つである。トランジスタ４４０は、絶縁表面を有する基板４００上に、絶縁層４３７、酸化物半導体層４０３、ソース電極層４０５ａ、ドレイン電極層４０５ｂ、ゲート絶縁層４０２、及びゲート電極層４０１を含み、ソース電極層４０５ａ、ドレイン電極層４０５ｂにそれぞれ配線層４３６ａ、配線層４３６ｂが接して設けられ接続している。
【０１１２】
本実施の形態では、上述のとおり、半導体層として酸化物半導体層４０３を用いる。酸化物半導体層４０３に用いる酸化物半導体としては、四元系金属酸化物であるＩｎ−Ｓｎ−Ｇａ−Ｚｎ−Ｏ系酸化物半導体や、三元系金属酸化物であるＩｎ−Ｇａ−Ｚｎ−Ｏ系酸化物半導体、Ｉｎ−Ｓｎ−Ｚｎ−Ｏ系酸化物半導体、Ｉｎ−Ａｌ−Ｚｎ−Ｏ系酸化物半導体、Ｓｎ−Ｇａ−Ｚｎ−Ｏ系酸化物半導体、Ａｌ−Ｇａ−Ｚｎ−Ｏ系酸化物半導体、Ｓｎ−Ａｌ−Ｚｎ−Ｏ系酸化物半導体や、二元系金属酸化物であるＩｎ−Ｚｎ−Ｏ系酸化物半導体、Ｓｎ−Ｚｎ−Ｏ系酸化物半導体、Ａｌ−Ｚｎ−Ｏ系酸化物半導体、Ｚｎ−Ｍｇ−Ｏ系酸化物半導体、Ｓｎ−Ｍｇ−Ｏ系酸化物半導体、Ｉｎ−Ｍｇ−Ｏ系酸化物半導体や、Ｉｎ−Ｏ系酸化物半導体、Ｓｎ−Ｏ系酸化物半導体、Ｚｎ−Ｏ系酸化物半導体、Ｉｎ−Ｇａ−Ｏ系酸化物半導体などを用いることができる。また、上記酸化物半導体にＳｉＯ２を含んでもよい。ここで、例えば、Ｉｎ−Ｇａ−Ｚｎ−Ｏ系酸化物半導体とは、インジウム（Ｉｎ）、ガリウム（Ｇａ）、亜鉛（Ｚｎ）を有する酸化物膜、という意味であり、その組成比はとくに問わない。また、ＩｎとＧａとＺｎ以外の元素を含んでもよい。
【０１１３】
また、酸化物半導体層４０３は、化学式ＩｎＭＯ３（ＺｎＯ）ｍ（ｍ＞０）で表記される薄膜を用いることができる。ここで、Ｍは、Ｚｎ、Ｇａ、Ａｌ、ＭｎおよびＣｏから選ばれた一または複数の金属元素を示す。例えばＭとして、Ｇａ、Ｇａ及びＡｌ、Ｇａ及びＭｎ、またはＧａ及びＣｏなどがある。
【０１１４】
また、酸化物半導体としてＩｎ−Ｚｎ−Ｏ系の材料を用いる場合、用いるターゲットの組成比は、原子数比で、Ｉｎ：Ｚｎ＝５０：１〜１：２（モル数比に換算するとＩｎ２Ｏ３：ＺｎＯ＝２５：１〜１：４）、好ましくはＩｎ：Ｚｎ＝２０：１〜１：１（モル数比に換算するとＩｎ２Ｏ３：ＺｎＯ＝１０：１〜１：２）、さらに好ましくはＩｎ：Ｚｎ＝１５：１〜１．５：１（モル数比に換算するとＩｎ２Ｏ３：ＺｎＯ＝１５：２〜３：４）とする。例えば、Ｉｎ−Ｚｎ−Ｏ系酸化物半導体の形成に用いるターゲットは、原子数比がＩｎ：Ｚｎ：Ｏ＝Ｘ：Ｙ：Ｚのとき、Ｚ＞１．５Ｘ＋Ｙとする。
【０１１５】
酸化物半導体層４０３を用いたトランジスタ４１０、４２０、４３０、４４０は、オフ状態における電流値（オフ電流値）を低くすることができる。よって画素において、映像信号等の電気信号を保持するための容量素子を小さく設計することができる。よって、画素の開口率の向上を図ることができるため、その分の低消費電力化を図るといった効果を奏する。
【０１１６】
また、酸化物半導体層４０３を用いたトランジスタ４１０、４２０、４３０、４４０は、酸素添加及び脱水素処理による高純度化をすることでキャリア濃度を極めて小さくでき、オフ電流を少なくすることができる。よって、画素においては映像信号等の電気信号の保持時間を長くすることができ、書き込み間隔も長く設定できる。よって１フレーム期間の周期を長くすることができ、静止画表示期間でのリフレッシュ動作の頻度を少なくすることができるため、より消費電力を抑制する効果を高くできる。また、上記トランジスタは、同一基板上に駆動回路部または画素部に作り分けて作製することができるため、液晶表示装置の部品点数を削減することができる。
【０１１７】
絶縁表面を有する基板４００に使用することができる基板に大きな制限はないが、バリウムホウケイ酸ガラスやアルミノホウケイ酸ガラスなどのガラス基板を用いる。
【０１１８】
ボトムゲート構造のトランジスタ４１０、４２０、４３０において、下地膜となる絶縁膜を基板とゲート電極層の間に設けてもよい。下地膜は、基板からの不純物元素の拡散を防止する機能があり、窒化シリコン膜、酸化シリコン膜、窒化酸化シリコン膜、又は酸化窒化シリコン膜から選ばれた一又は複数の膜による積層構造により形成することができる。
【０１１９】
ゲート電極層４０１の材料は、モリブデン、チタン、クロム、タンタル、タングステン、アルミニウム、銅、ネオジム、スカンジウム等の金属材料またはこれらを主成分とする合金材料を用いて、単層でまたは積層して形成することができる。
【０１２０】
ゲート絶縁層４０２は、プラズマＣＶＤ法又はスパッタリング法等を用いて、酸化シリコン層、窒化シリコン層、酸化窒化シリコン層、窒化酸化シリコン層、酸化アルミニウム層、窒化アルミニウム層、酸化窒化アルミニウム層、窒化酸化アルミニウム層、又は酸化ハフニウム層を単層で又は積層して形成することができる。例えば、第１のゲート絶縁層としてプラズマＣＶＤ法により膜厚５０ｎｍ以上２００ｎｍ以下の窒化シリコン層（ＳｉＮｙ（ｙ＞０））を形成し、第１のゲート絶縁層上に第２のゲート絶縁層として膜厚５ｎｍ以上３００ｎｍ以下の酸化シリコン層（ＳｉＯｘ（ｘ＞０））を積層して、合計膜厚２００ｎｍのゲート絶縁層とする。
【０１２１】
ソース電極層４０５ａ、ドレイン電極層４０５ｂに用いる導電膜としては、例えば、Ａｌ、Ｃｒ、Ｃｕ、Ｔａ、Ｔｉ、Ｍｏ、Ｗから選ばれた元素を含む金属膜、または上述した元素を成分とする金属窒化物膜（窒化チタン膜、窒化モリブデン膜、窒化タングステン膜）等を用いることができる。また、Ａｌ、Ｃｕなどの金属膜の下側又は上側の一方または双方にＴｉ、Ｍｏ、Ｗなどの高融点金属膜またはそれらの金属窒化物膜（窒化チタン膜、窒化モリブデン膜、窒化タングステン膜）を積層させた構成としても良い。
【０１２２】
ソース電極層４０５ａ、ドレイン電極層４０５ｂに接続する配線層４３６ａ、配線層４３６ｂのような導電膜も、ソース電極層４０５ａ、ドレイン電極層４０５ｂと同様な材料を用いることができる。
【０１２３】
また、ソース電極層４０５ａ、ドレイン電極層４０５ｂ（これと同じ層で形成される配線層を含む）となる導電膜としては導電性の金属酸化物で形成しても良い。導電性の金属酸化物としては酸化インジウム（Ｉｎ２Ｏ３）、酸化スズ（ＳｎＯ２）、酸化亜鉛（ＺｎＯ）、酸化インジウム酸化スズ合金（Ｉｎ２Ｏ３―ＳｎＯ２、ＩＴＯと略記する）、酸化インジウム酸化亜鉛合金（Ｉｎ２Ｏ３―ＺｎＯ）またはこれらの金属酸化物材料に酸化シリコンを含ませたものを用いることができる。
【０１２４】
酸化物半導体層の上方に設けられる絶縁膜４０７、４２７、下方に設けられる絶縁層４３７は、代表的には酸化シリコン膜、酸化窒化シリコン膜、酸化アルミニウム膜、または酸化窒化アルミニウム膜などの無機絶縁膜を用いることができる。
【０１２５】
また、酸化物半導体層の上方に設けられる保護絶縁層４０９は、窒化シリコン膜、窒化アルミニウム膜、窒化酸化シリコン膜、窒化酸化アルミニウム膜などの無機絶縁膜を用いることができる。
【０１２６】
また、保護絶縁層４０９上にトランジスタ起因の表面凹凸を低減するために平坦化絶縁膜を形成してもよい。平坦化絶縁膜としては、ポリイミド、アクリル、ベンゾシクロブテン、等の有機材料を用いることができる。また上記有機材料の他に、低誘電率材料（ｌｏｗ−ｋ材料）等を用いることができる。なお、これらの材料で形成される絶縁膜を複数積層させることで、平坦化絶縁膜を形成してもよい。
【０１２７】
高純度化された酸化物半導体層を含むトランジスタは、オフ電流を少なくすることができる。よって、画素においては映像信号等の電気信号の保持時間を長くすることができ、書き込み間隔も長く設定できる。よって１フレーム期間の周期を長くすることができ、静止画表示期間でのリフレッシュ動作の頻度を少なくすることができるため、より消費電力を抑制する効果を高くできる。また、高純度化された酸化物半導体層は、レーザ照射等の処理を経ることなく作製でき、大面積基板へのトランジスタの形成を可能にすることができるため、好適である。
【０１２８】
本実施の形態は、他の実施の形態に記載した構成と適宜組み合わせて実施することが可能である。
【０１２９】
（実施の形態８）
本明細書に開示する液晶表示装置は、さまざまな電子機器（遊技機も含む）に適用することができる。電子機器としては、例えば、テレビジョン装置（テレビ、またはテレビジョン受信機ともいう）、コンピュータ用などのモニタ、デジタルカメラ、デジタルビデオカメラ等のカメラ、デジタルフォトフレーム、携帯電話機（携帯電話、携帯電話装置ともいう）、携帯型ゲーム機、携帯情報端末、音響再生装置、パチンコ機などの大型ゲーム機などが挙げられる。上記実施の形態で説明した液晶表示装置を具備する電子機器の例について説明する。
【０１３０】
図１４（Ａ）は、電子書籍の一例を示している。図１４（Ａ）に示す電子書籍は、筐体１７００及び筐体１７０１の２つの筐体で構成されている。筐体１７００及び筐体１７０１は、蝶番１７０４により一体になっており、開閉動作を行うことができる。このような構成により、書籍のような動作を行うことが可能となる。
【０１３１】
筐体１７００には表示部１７０２が組み込まれ、筐体１７０１には表示部１７０３が組み込まれている。表示部１７０２及び表示部１７０３は、続き画面を表示する構成としてもよいし、異なる画面を表示する構成としてもよい。異なる画面を表示する構成とすることで、例えば右側の表示部（図１４（Ａ）では表示部１７０２）に文章を表示し、左側の表示部（図１４（Ａ）では表示部１７０３）に画像を表示することができる。
【０１３２】
また、図１４（Ａ）では、筐体１７００に操作部等を備えた例を示している。例えば、筐体１７００は、電源入力端子１７０５、操作キー１７０６、スピーカ１７０７等を備えている。操作キー１７０６により、頁を送ることができる。なお、筐体の表示部と同一面にキーボードやポインティングディバイス等を備える構成としてもよい。また、筐体の裏面や側面に、外部接続用端子（イヤホン端子、ＵＳＢ端子、及びＵＳＢケーブル等の各種ケーブルと接続可能な端子等）、記録媒体挿入部等を備える構成としてもよい。さらに、図１４（Ａ）に示す電子書籍は、電子辞書としての機能を持たせた構成としてもよい。
【０１３３】
図１４（Ｂ）は、液晶表示装置を用いたデジタルフォトフレームの一例を示している。例えば、図１４（Ｂ）に示すデジタルフォトフレームは、筐体１７１１に表示部１７１２が組み込まれている。表示部１７１２は、各種画像を表示することが可能であり、例えば、デジタルカメラ等で撮影した画像データを表示させることで、通常の写真立てと同様に機能させることができる。
【０１３４】
なお、図１４（Ｂ）に示すデジタルフォトフレームは、操作部、外部接続用端子（ＵＳＢ端子、ＵＳＢケーブル等の各種ケーブルと接続可能な端子等）、記録媒体挿入部等を備える構成とする。これらの構成は、表示部と同一面に組み込まれていてもよいが、側面や裏面に備えるとデザイン性が向上するため好ましい。例えば、デジタルフォトフレームの記録媒体挿入部に、デジタルカメラで撮影した画像データを記憶したメモリを挿入して画像データを取り込み、取り込んだ画像データを表示部１７１２に表示させることができる。
【０１３５】
図１４（Ｃ）は、液晶表示装置を用いたテレビジョン装置の一例を示している。図１４（Ｃ）に示すテレビジョン装置は、筐体１７２１に表示部１７２２が組み込まれている。表示部１７２２により、映像を表示することが可能である。また、ここでは、スタンド１７２３により筐体１７２１を支持した構成を示している。表示部１７２２は、上記実施の形態に示した液晶表示装置を適用することができる。
【０１３６】
図１４（Ｃ）に示すテレビジョン装置の操作は、筐体１７２１が備える操作スイッチや、別体のリモコン操作機により行うことができる。リモコン操作機が備える操作キーにより、チャンネルや音量の操作を行うことができ、表示部１７２２に表示される映像を操作することができる。また、リモコン操作機に、当該リモコン操作機から出力する情報を表示する表示部を設ける構成としてもよい。
【０１３７】
図１４（Ｄ）は、液晶表示装置を用いた携帯電話機の一例を示している。図１４（Ｄ）に示す携帯電話機は、筐体１７３１に組み込まれた表示部１７３２の他、操作ボタン１７３３、操作ボタン１７３７、外部接続ポート１７３４、スピーカ１７３５、及びマイク１７３６等を備えている。
【０１３８】
図１４（Ｄ）に示す携帯電話機は、表示部１７３２がタッチパネルになっており、指等の接触により、表示部１７３２の表示内容を操作することができる。また、電話の発信、或いはメールの作成等は、表示部１７３２を指等で接触することにより行うことができる。
【０１３９】
本実施の形態は、他の実施の形態に記載した構成と適宜組み合わせて実施することが可能である。
【符号の説明】
【０１４０】
１００    画素
１０１    第１のトランジスタ
１０２    第２のトランジスタ
１０３    液晶素子
１０４    信号線
１０５    走査線
１０６    共通電位線
１１１    期間
１１２    期間
１２１    矢印
１２２    矢印
１２３    矢印
１２４    矢印
１２５    矢印
１２６    矢印
１３１    期間
２０１    信号
２１１    信号
４００    基板
４０１    ゲート電極層
４０２    ゲート絶縁層
４０３    酸化物半導体層
４０７    絶縁膜
４０９    保護絶縁層
４１０    トランジスタ
４２０    トランジスタ
４２７    絶縁層
４３０    トランジスタ
４３７    絶縁層
４４０    トランジスタ
５０１    容量配線
５０２    容量素子
５０３    容量素子
５０４    容量素子
６０１    画素部
６０２    信号線駆動回路
６０３    走査線駆動回路
６０４    共通電位線駆動回路
６１０    シフトレジスタ回路
６１１    パルス出力回路
６２０    バッファ部
６２１    制御回路部
６２２    プルアップトランジスタ
６２３    プルダウントランジスタ
１００Ａ    画素
１００Ｂ    画素
１００Ｃ    画素
１００Ｄ    画素
１２０３    ゲート電極層
１２０４    容量配線層
１２０５    第１のトランジスタ
１２０６    第２のトランジスタ
１２０７    絶縁膜
１２０８    絶縁膜
１２０９    層間膜
１２１０    透明電極層
１２１１    透明電極層
１２１２    ゲート絶縁層
１２１３    半導体層
１２１４    半導体層
１２１５    容量素子
１２１６    容量素子
１２１７    液晶層
１２１８    基板
１２１９    基板
１５００    画素
１５０１    トランジスタ
１５０２    液晶素子
１５０３    保持容量
１５０４    信号線
１５０５    走査線
１５０６    共通電位線
１５０７    容量線
１５１１    反転駆動期間
１５１２    非反転駆動期間
１７００    筐体
１７０１    筐体
１７０２    表示部
１７０３    表示部
１７０４    蝶番
１７０５    電源入力端子
１７０６    操作キー
１７０７    スピーカ
１７１１    筐体
１７１２    表示部
１７２１    筐体
１７２２    表示部
１７２３    スタンド
１７３１    筐体
１７３２    表示部
１７３３    操作ボタン
１７３４    外部接続ポート
１７３５    スピーカ
１７３６    マイク
１７３７    操作ボタン
２００Ａ    期間
２００Ｂ    期間
２０２Ａ    信号
２０２Ｂ    信号
２０３Ａ    信号
２０３Ｂ    信号
２１０Ａ    期間
２１０Ｂ    期間
２１２Ａ    信号
２１２Ｂ    信号
２１３Ａ    信号
２１３Ｂ    信号
４０５ａ    ソース電極層
４０５ｂ    ドレイン電極層
４３６ａ    配線層
４３６ｂ    配線層
１２０１ａ    ソース電極層
１２０１ｂ    ドレイン電極層
１２０２ａ    ソース電極層
１２０２ｂ    ドレイン電極層
【図１】
2011257746.tif 000003
【図２】
2011257746.tif 000004
【図３】
2011257746.tif 000005
【図４】
2011257746.tif 000006
【図５】
2011257746.tif 000007
【図６】
2011257746.tif 000008
【図７】
2011257746.tif 000009
【図８】
2011257746.tif 000010
【図９】
2011257746.tif 000011
【図１０】
2011257746.tif 000012
【図１１】
2011257746.tif 000013
【図１２】
2011257746.tif 000014
【図１３】
2011257746.tif 000015
【図１４】
2011257746.tif 000016
【図１５】
2011257746.tif 000017